(57)【特許請求の範囲】
【請求項１】
電子デバイスであって、
前記電子デバイスの一部分をアクセサリに選択的に固定し、前記アクセサリと相対的に前記一部分を回転させるヒンジアセンブリを備え、
前記ヒンジアセンブリは、
前記ヒンジアセンブリが係合して前記電子デバイスの前記一部分を前記アクセサリに固定すると、前記アクセサリの少なくとも１つのセグメントを受け入れる少なくとも１つの円板を有する電子デバイス。
【請求項２】
前記ヒンジアセンブリは、前記アクセサリの前記少なくとも１つのセグメントを受け入れる円板歯状車輪を有する請求項１に記載の電子デバイス。
【請求項３】
前記少なくとも１つのセグメントは、前記ヒンジアセンブリが前記アクセサリに係合すると、アラインメント機能を提供する請求項１または２に記載の電子デバイス。
【請求項４】
前記アクセサリは、前記一部分に含まれている１または複数のリングを誘引する１または複数の磁気バンドを含む請求項１から３の何れか１項に記載の電子デバイス。
【請求項５】
前記アクセサリは、１または複数の浮動磁界を低減するべく鉄製の筐体の一部分を含む請求項１から４の何れか１項に記載の電子デバイス。
【請求項６】
前記アクセサリは、前記電子デバイスの１または複数の円板を誘引する１または複数の希土類マグネットを含む請求項１から５の何れか１項に記載の電子デバイス。
【請求項７】
前記アクセサリは、バンド、および、前記バンドを固定し、前記一部分から前記バンドを介して電流を流して前記アクセサリに電力を供給するバンドサポートポストを含む請求項１から６の何れか１項に記載の電子デバイス。
【請求項８】
前記少なくとも１つのセグメントは、前記一部分と前記アクセサリとの間における回転を抑制するべく前記電子デバイスの歯状円板と係合する中央歯状部材を含む請求項１から７の何れか１項に記載の電子デバイス。
【請求項９】
前記一部分は、タッチディスプレイを含む請求項１から８の何れか１項に記載の電子デバイス。
【請求項１０】
前記アクセサリは、オーディオコンポーネントである請求項１から９の何れか１項に記載の電子デバイス。
【請求項１１】
前記アクセサリは、ドッキングステーションである請求項１から９の何れか１項に記載の電子デバイス。
【請求項１２】
前記アクセサリは、キーボードである請求項１から９の何れか１項に記載の電子デバイス。
【請求項１３】
前記ヒンジアセンブリは、前記アクセサリと相対的に前記電子デバイスが所定の範囲において回転するようにし、前記所定の範囲は、閉じた位置における０度から略開いた位置における１５０度までである請求項１から１２の何れか１項に記載の電子デバイス。
【請求項１４】
前記アクセサリと前記一部分との間において電力またはデータが流れる請求項１から１３の何れか１項に記載の電子デバイス。
【請求項１５】
前記アクセサリは、略円筒形状の前記ヒンジアセンブリを受け入れる円弧形状の凹部を含む請求項１から１４の何れか１項に記載の電子デバイス。
【請求項１６】
複数の電力信号は、前記アクセサリに対応付けられている複数のコンタクトを介して複数の円板を通過する請求項１から１５の何れか１項に記載の電子デバイス。
【請求項１７】
複数の電力信号は、前記アクセサリと前記電子デバイスとの間のプラグイン接続を通過する請求項１から１６の何れか１項に記載の電子デバイス。
【請求項１８】
ヒンジアセンブリの一部として設けられている少なくとも１つの円板を含む電子デバイスにおいてアクセサリの少なくとも１つのセグメントを受け入れる段階と、
前記アクセサリに対して前記電子デバイスの一部分を固定するべく前記ヒンジアセンブリと前記アクセサリとを係合させる段階と
を備え、
前記ヒンジアセンブリは、前記アクセサリと相対的に前記一部分を回転させる方法。
【請求項１９】
前記ヒンジアセンブリは、前記アクセサリの前記少なくとも１つのセグメントを受け入れる円板歯状車輪を有する請求項１８に記載の方法。
【請求項２０】
前記少なくとも１つのセグメントは、前記ヒンジアセンブリが前記アクセサリに係合すると、アラインメント機能を提供する請求項１８または１９に記載の方法。
【請求項２１】
前記アクセサリは、前記一部分に含まれている１または複数のリングを誘引する１または複数の磁気バンドを含む請求項１８から２０の何れか１項に記載の方法。
【請求項２２】
前記アクセサリは、１または複数の浮動磁界を低減するべく鉄製の筐体の一部分を含む請求項１８から２１の何れか１項に記載の方法。
【請求項２３】
前記アクセサリは、前記電子デバイスの１または複数の円板を誘引する１または複数の希土類マグネットを含む請求項１８から２２の何れか１項に記載の方法。
【請求項２４】
前記アクセサリは、バンド、および、前記バンドを固定し、前記一部分から前記バンドを介して電流を流して前記アクセサリに電力を供給するバンドサポートポストを含む請求項１８から２３の何れか１項に記載の方法。
【請求項２５】
前記少なくとも１つのセグメントは、前記一部分と前記アクセサリとの間における回転を抑制するべく前記電子デバイスの歯状円板と係合する中央歯状部材を含む請求項１８から２４の何れか１項に記載の方法。
【発明の詳細な説明】
【技術分野】
【０００１】
本明細書で説明する実施形態は概して、電子デバイスのヒンジ構成に関する。
【図面の簡単な説明】
【０００２】
実施形態は、添付図面において限定するためではなく一例として図示されている。添付図面において、同様の参照番号は同様の構成要素を示す。図面は以下の通りである。
【図１Ａ】本開示の一実施形態に係る、キーボードが取り付けられており開状態の電子デバイスの実施形態を示す簡略概略図である。
【図１Ｂ】本開示の一実施形態に係る、閉状態のキーボードが取り付けられている電子デバイスの実施形態を示す簡略概略図である。
【図１Ｃ】本開示の一実施形態に係る、アクセサリカバーが取り付けられている閉状態の電子デバイスの実施形態を示す簡略概略図である。
【図２】電子デバイスを２つのセグメントに分割して示す正投影図を示す簡略概略図である。
【図３】２つのセグメントを接続した場合の電子デバイスの正投影図を示す簡略概略図である。
【図４】電子デバイスの円板フィーチャを示す簡略正投影図である。
【図５】一実施例に応じた、電子デバイスのアクセサリの正投影図を示す簡略概略図である。
【図６】本開示の一実施形態に係る、アクセサリデバイスのアクセサリドッキング接続フィーチャを正面から見た様子を示す正投影図を示す簡略概略図である。
【図７】本開示の一実施形態に係るアクセサリデバイスのアクセサリドッキング接続フィーチャを背面から見た様子を示す簡略概略図である。
【図８】電子デバイスの円板要素を誘引する磁気バンドセグメントを持つアクセサリドッキング接続フィーチャを一体化した実施形態を示す正投影図を示す簡略概略図である。
【図９】アクセサリドッキング接続フィーチャを持たないアクセサリデバイスの実施形態の正投影図を示す簡略概略図である。
【図１０】電子デバイスに対応付けられているヒンジアセンブリを示す簡略概略図である。
【図１１】電子デバイスに対応付けられている特定のヒンジアセンブリのコンポーネントを示す簡略概略図である。
【図１２】電子デバイスに対応付けられている特定のヒンジアセンブリの構成要素を示す簡略概略図である。
【図１３】電子デバイスに対応付けられている特定のヒンジアセンブリの構成要素を示す簡略概略図である。
【図１４】電子デバイスに対応付けられている特定のヒンジアセンブリの構成要素を示す簡略概略図である。
【図１５】本開示に対応付けられている一の設計配置例を示す簡略概略図である。
【図１６】本開示の一のスナップバンド構成の例を示す簡略概略図である。
【図１７】電子デバイスに対応付けられているマグネットコンポーネントを示す簡略概略図である。
【図１８】電子デバイスに対応付けられている鉄製のリングバンドと係合しているマグネットの断面を示す簡略概略図である。
【図１９】電子デバイスのマグネットに対応付けられている係合した歯状部の断面を示す簡略概略図である。
【図２０】電子デバイスに対応付けられているアセンブリの断面を示す簡略概略図である。
【図２１】本開示に応じた電子デバイスの実施形態を示す簡略概略図である。
【図２２】アクセサリデバイスに対応付けられているモールド成型されたアクセサリドッキングフィーチャのバンドおよびバンドマグネットを示す簡略概略図である。
【図２３】電子デバイスに対応付けられているラッチマグネットを示す簡略概略図である。
【図２４】電子デバイスに対応付けられているドッキングステーションの実施形態を示す簡略概略図である。
【図２５】電子デバイスに対応付けられているスピーカの実施形態を示す簡略概略図である。
【図２６】電子デバイスに対応付けられている電子機器の一例を示す簡略ブロック図である。  添付図面は、必ずしも実寸に即したものではなく、寸法は本開示の範囲から逸脱することなく大きく変更することが可能である。
【発明を実施するための形態】
【０００３】
以下に記載する詳細な説明は、電子デバイスのヒンジ構成に関する装置、方法およびシステムの実施形態例を説明している。構造、機能および／または特性等の特徴は、例えば、便宜上一の実施形態を参照して説明する。さまざまな実施形態は、記載した特徴のうち任意の適切な１または複数の特徴を用いて実現するとしてよい。
【０００４】
従来、タブレットデバイスおよびタブレットデバイスに対応付けられているアクセサリは、一体化が最小限に抑えられている。例えば、キーボードアクセサリは、後から追加することが多く、電力的に一体化されていない２つの異種のコンポーネント（例えば、タブレットとキーボードアクセサリとは電力的に一体化されていない）を接続するために弾性部材および／またはマグネットを組み合わせる必要がある。タブレットをアクセサリにドッキングさせることで、ラップトップとして利用する際の向きでタブレットの角度調整を行う場合の動きを制限することができるか、または、所定の角度にのみ向けることを可能とする。さらに、キーボードとデバイスとのやり取りは、接続された場合にはデバイスに対してキーボードの向きとして一の向きのみを許可するとしてもよい（つまり、デバイススクリーンはキーボードにのみ対向する）。この構成は、ユーザの自由を奪ってしまうと共に、ラップトップとして利用する際にデバイスの使用感がユーザにとって全体として低下する。
【０００５】
本明細書で説明する特定の実施形態は、ノートブックコンピュータ、ラップトップ、携帯電話、または、回路基板が複数の電子コンポーネント（任意の種類のコンポーネント、要素、回路等を含む）に結合されているその他のモバイルデバイス等の電子デバイスを実現する。電子デバイスはさらに、ベース部分と、ヒンジでベース部分に結合されているトップ部分とを備えるとしてよい。この結合は、ベース部分およびトップ部分が、電子デバイスの開状態と電子デバイスの閉状態との間で（そして、開状態と閉状態との間の複数の位置で互いに相対的に決まるホールド位置で）回転することができるように構成されている。本明細書に記載する特定の実施形態は、向きを柔軟に決めることが可能で、且つ、電子デバイス（例えば、タブレット）とアクセサリ（例えば、キーボード、オーディオシステム、ムービープレーヤシステム、ドッキングステーション、アクセサリカバー等）との間の一体化を進めることが可能な接続を実現するのに有効なヒンジおよびドッキングの機能を実現することができる。
【０００６】
電子デバイスはさらに、電子デバイスのトップ部分をアクセサリに選択的に（例えば、所望の構成に基づいて）固定するヒンジアセンブリを備えるとしてよい。ヒンジアセンブリによって、アクセサリに対してトップ部分が回転可能となる。ヒンジアセンブリは、ヒンジアセンブリが係合して電子デバイスのトップ部分をアクセサリに固定する場合、アクセサリの１または複数のセグメントを受け入れる１または複数の円板を有する。より具体的な実施形態によると、ヒンジアセンブリは、トップ部分をアクセサリに固定するべく、アクセサリのセグメントのうち１または複数を受け入れる円板歯状車輪を有する。これに加えて、アクセサリは、デバイスのヒンジアセンブリがアクセサリに係合する際に、アラインメント機能を実現する１または複数のリブセグメントを有するとしてよい（ヒンジアセンブリが係合するアクセサリのエリアの強度および剛性を高める）。アクセサリのこの特定の領域にマグネットを含む実施形態では、これらのリブセグメントは、マグネットの磁力を集中させるという機能を追加で実現することができる。これに加えて、アクセサリは、ヒンジアセンブリとアクセサリとの間の回転運動に対して抵抗するべく一の歯状部（または複数の歯状フィーチャ）を有することにより、ヒンジアセンブリおよびアクセサリがユーザが関与することなく相対的な位置を維持できるようにするとしてよい。また、アクセサリは、トップ部分に設けられている１または複数のリングを誘引する１または複数の磁気バンドを有するとしてよい。
【０００７】
ある実施形態によると、アクセサリのアクセサリドッキングフィーチャは、マグネットを含まない。代わりに、デバイスは、オーバーセンター式（または他の種類）の機械的スナップ保持部を持つ電子デバイスのアクセサリ係合フィーチャによって、ヒンジ接続点においてアクセサリによって保持することができる。
【０００８】
さらに別の実施形態によると、電子デバイスのトップ部分をアクセサリに選択的に固定するヒンジアセンブリを備える電子デバイスが提供される。ヒンジアセンブリによって、アクセサリに対してトップ部分を回転させることが可能となり、ヒンジアセンブリは、トップ部分とアクセサリとの間に保持力を実現する三部構成（または、四部構成、五部構成等）のスナップ構成を少なくとも含む。電力信号は、三部スナップ構成の３つの部分のそれぞれを別々に通るように進むことができる。これに代えて、電力信号は、三部スナップ構成の中央の部分を通るように進み、三部スナップ構造の２つの外側の部分は絶縁体であるとしてもよい。アクセサリは、一部構成のキーボード側面スナップを含むキーボードであってよく、複数のスロットが設けられており、キーボードの外側のスナップバンドを独立して動かすことが可能となる。
【０００９】
＜電子デバイスのヒンジ構成＞
図１Ａは、本開示の一実施形態に係る、開状態の電子デバイス１０の実施形態を示す簡略概略図である。電子デバイス１０は、キーボード１２、タッチパッド１８を含むベース部分１６と、ディスプレイ２６および１または複数の円板１５を含むトップ部分１４とを備えるとしてよい。ディスプレイ２６は、トップ部分１４の内部／上部に配置されているとしてよく、および／または、トップ部分１４によって支持されているとしてよい。１または複数の実施形態によると、ディスプレイ２６は、液晶ディスプレイ（ＬＣＤ）ディスプレイスクリーン、発光ダイオード（ＬＥＤ）ディスプレイスクリーン、有機発光ダイオード（ＯＬＥＤ）ディスプレイスクリーン、プラズマディスプレイスクリーンまたは任意のその他の適切なディスプレイスクリーンシステムであるスクリーンである。
【００１０】
１または複数の実施形態によると、電子デバイス１０は、ノートブックコンピュータまたはラップトップコンピュータである。さらに別の実施形態によると、電子デバイス１０は、モバイルデバイス、タブレットコンピュータおよび／またはタブレットデバイス（例えば、ｉパッド）、携帯情報端末（ＰＤＡ）、スマートフォン、オーディオシステム、任意の種類のムービープレーヤ、コンピュータドッキングステーション等のディスプレイを備える任意の適切な電子デバイスであってよい。
【００１１】
概して、電子デバイス１０は、エンドユーザがベース部分１６を操作（例えば、トップ部分１４から切り離すことが）できるよう適宜十分に把持することが出来るようになっている。電子デバイス１０はさらに、機械的、電気的および外観的な観点から、着脱可能にアクセサリを一体化できるようにするべく１または複数の円板１５を備えるとしてよい。アクセサリバンド設計フィーチャは、機械的および磁気的に導入および誘導してドッキング時には保持するための誘因力を実現するとしてよい。これに加えて、電子デバイス１０は、任意のアクセサリを容易に、取着、保持および脱着できるように、機械的なスナップインフィーチャを利用するとしてよい。電子デバイス１０の電力は、電子デバイス１０のシャーシから物理的に分離することができ、および／または、さらに、電子デバイス１０の円板アセンブリのうち１または複数の内部に一体化することができる。さらに、電子デバイス１０は、当該デバイスと、デバイスがドッキングされているアクセサリ（例えば、キーボード）との間で電力および／またはデータを移動させることが可能なドッキングを実現することができる。これに加えて、電子デバイス１０は、円板フィーチャの容積内に位置するクラッチ機構をスペースを節約しつつ一体化することができる。また、電子デバイス１０は、当該デバイスがラップトップモードの場合にディスプレイの移動範囲を改善することができる。これについては以下で詳細に説明する。
【００１２】
電子デバイス１０はさらに、ベース部分１６とトップ部分１４との間に中央部分が設けられているとしてよい。中央部分は、外観を改善するべく、ベース部分１６とトップ部分１４との間に位置するヒンジ１５の一部分をカバーする（または複数のヒンジ１５の近傍に位置する）としてよい。ヒンジ１５は、ベース部分１６とトップ部分１４との間で共有される回転軸を定めるとしてよい。一実施形態によると、ベース部分１６およびトップ部分１４は、１または複数のヒンジ１５（図示の通り）によってヒンジ結合されている。
【００１３】
図１Ａに図示している具体的な実施形態によると、電子デバイス１０は、タッチスクリーン（例えば、１０インチ（２５．４センチメートル）スクリーン）および脱着可能なキーボードアクセサリを備える比較的薄いスマートなタブレットである。電子デバイス１０は、ディスプレイ部分（主要ロジックボードおよび本体に設置された電池（ｂａｒｒｅｌ  ｉｎｓｔａｌｌｅｄ  ｂａｔｔｅｒｉｅｓ）を含む）およびキーボード部分を含む一体的なデバイスを実現する。さらに、ヒンジ機構によって、ディスプレイ部分は、２つの異なる向きでキーボードに取り付けることができる。つまり、ディスプレイは内側を向くか、外側を向く。このヒンジ機構は、ユーザに対して、ラップトップモード、タブレットモード、ムービーモード（閉モードも同様）等の複数のモード（可能な構成）を実現することができる。これらの構成はすべて、電子デバイス１０に対応付けられている動作機能の一部をさらに図示しているさまざまな図面を参照しつつ後述する。
【００１４】
特定の磁気キーボード設計について、タブレットについて現在利用可能なキーボードはユーザの使用感が望ましくないことに留意されたい。ガラス上でタイピングすることは人間工学的に快適ではなく、これとは別に、通常のＢｌｕｅｔｏｏｔｈ（登録商標）キーボードは、分厚い上に扱いにくい。このような欠点を持つシステムとは対照的に、電子デバイス１０で利用可能なキーボードは、より従来のコンピュータキーボードに近いユーザ使用感を再現できる。これに加えて、ユーザの観点から見ると、キートラベルが一般的なコンピュータキーボードと同じように感じられる（例えば、キートラベルは約０．５ｍｍであるが、従来のコンピュータキーボードでは２．５ｍｍとなっている。しかし、感触は同じである）。さらに、キー同士の間には十分なスペースがあり、ブラインドタッチ習得者にとってはキー同士を区別し易くなっており、ブラインドタッチが改善される。
【００１５】
具体的な実施形態によると、キーボードは、非常に薄く（例えば、３．３０ｍｍ）、非常に軽量な（例えば、２７５グラム）キーボードであり、タブレットデバイスカバーとして機能するために十分な剛性および強度のキーボードバンドを持つ。キーボードは、通常のコンピュータキーボードの感触を維持しつつ、ユーザに対してブラインドタッチの使用感を再現するべくさまざまなキー設計形状およびマグネットを利用する積層体構造から形成され得る。キーボードデバイスの側面エリアを薄くするべく、キーボードのエッジのキーは、片側で回転させるとしてよく、さらに、本開示の特定の実施形態では片側のみマグネットを含むとしてよい。キーは、例えば、斜めには移動できない４つのキーを統合した矢印キー動作を行うトグル操作キー等、任意の適切な種類のキーであってよい。マグネットは、キーボードのさまざまな位置（例えば、キーの中央から離れた位置）に設けるとしてよい。
【００１６】
動作について説明すると、キーボードのキー間隔によって、ブラインドタッチユーザは、指で容易にキー同士を区別することが出来るようになる。端のキーは、側面を薄くするべく特別に設計するとしてよく、さらにさまざまなマグネット構成を利用するとしてよい。このように端のキーを構成することによって、キーボードデバイスの側面を薄くできるように、サポートベースのエッジにキーが張り出す。マグネットは、トグル効果を最小限に抑えるように適切に位置決めされ得る。トグルキー構成は、矢印キーと共に利用される。
【００１７】
磁気キーの場合、マグネットがキーに埋め込まれており、キーの側面の上方の鉄製のトッププレートに誘引されている。このマグネットを利用することで、ユーザは、従来のコンピュータキーボードのキートラベルおよび剛性と同様の感触を得ることができる。当該キーボードによるとさらに、キーの押下を確認する物理的なキーストロークを実現することができる。特定の実施例によると、キーボードのキーは、キーの下方の導電性パッドによって磁気的に上向きに付勢されている。これによって、キーの押圧が可能となる。実際のキーボードの構造については、積層体構造と、金属とプラスチックとを一体化する射出成形とを組み合わせて利用するとしてよい。可撓性プリント配線基板（ＦＰＣ）も、本開示の特定の実施形態では利用され得る。バンドに対して接続を形成することができ、小型の電池を任意でキーボードに挿入して、限られたバックアップ電源としてもよい。これに限定されないが一例を挙げると、タブレットキーボード寸法は、２６１．４０ｍｍ（Ｘ）×１７０．１６ｍｍ（Ｙ）×３．３０ｍｍ（Ｚ、キートップから底面まで）前後である。キーボードの他の実施形態は、任意の適切な寸法、サイズおよび形状を持つとしてよく、これらは全て、本開示の範囲内である。
【００１８】
尚、任意の数のコネクタ（例えば、ユニバーサルシリアルバス（ＵＳＢ）コネクタ（例えば、ＵＳＢ３．０仕様に準拠したもの）、Ｔｈｕｎｄｅｒｂｏｌｔ（商標）コネクタ、ＷｉＦｉコネクタ、ドッキングコネクタ等の基準外の接続ポイント）および複数のアンテナを電子デバイス１０と共に提供することができる。（Ｔｈｕｎｄｅｒｂｏｌｔ（商標）およびＴｈｕｎｄｅｒｂｏｌｔ（商標）ロゴは、米国および／または他の国においてＩｎｔｅｌ  Ｃｏｒｐｏｒａｔｉｏｎの商標である。）アンテナは、電流を電波に変換することが出来る電気コンポーネントを表す。具体例を挙げると、アンテナは、ＷｉＦｉ動作、より一般的には無線接続、スモールセル設置、Ｂｌｕｅｔｏｏｔｈ（登録商標）、８０２．１１等に関連付けられる。
【００１９】
一実施形態例によると、電子デバイス１０のマザーボードは、電子デバイス１０の内部電子システムのさまざまなコンポーネントのを保持可能な汎用回路基板である。コンポーネントには、中央演算処理装置（ＣＰＵ）、メモリ等が含まれるとしてよい。マザーボードはさらに、電子デバイス１０のユーザが利用を希望する他の周辺機器を含むべく、１または複数のコネクタを結合することができる。より具体的には、マザーボードは、システムの他のコンポーネントを通信させるための電気接続を実現することができる。
【００２０】
任意のプロセッサ（デジタルシグナルプロセッサ、マイクロプロセッサ、サポートチップセット等を含む）、メモリ要素等は、構成上の必要性、処理要求、コンピュータ設計等に基づき、マザーボードに適宜結合することができる。外部ストレージ、ビデオディスプレイ用のコントローラ、音声デバイスおよび周辺機器等の他のコンポーネントは、プラグインカードとして、ケーブルを介してマザーボードに取り付けるか、または、マザーボード自体に一体化するとしてよい。
【００２１】
尚、本開示の特定の実施形態は容易に、システムオンチップ（ＳＯＣ）中央演算処理装置（ＣＰＵ）パッケージを含むとしてよい。ＳＯＣは、コンピュータまたは他の電子システムの複数のコンポーネントを一のチップに一体化する集積回路（ＩＣ）を表す。ＳＯＣは、デジタル機能、アナログ機能、混合信号機能を持つとしてよく、さらに、無線周波数機能を持つことが多い。これらは全て、一のチップ基板上に設けられるとしてよい。
【００２２】
特定の実施形態によると、タッチパッド１８は、ユーザの指の動きおよび位置をスクリーン上の相対的な位置に変換し得る特殊面である接触性センサを特徴とするポインティングデバイスである。タッチパッド１８は、（例えば、デスクスペースが狭い場合、または、ユーザの好みに応じて）マウスの代わりに用いることができる。タッチパッド１８は、容量性感知方式、コンダクタンス感知方式、または、任意のその他の適切な感知技術を利用して動作し得る。具体的な実施形態によると、タッチパッド１８を動作させるための電源として、適切な電池をタッチパッド１８の近傍に設けるとしてよい。また、ディスプレイ２６の一の表面（または両面）は、本明細書で説明する技術のいずれかを利用するタッチディスプレイであってよい。
【００２３】
図１Ｂについて簡潔に説明すると、図１Ｂは、閉状態の電子デバイス１０を示す側面図である簡略概略図である。動作について説明すると、電子デバイス１０が閉位置にある場合、薄型のプラスチック製のキーボードはディスプレイを保護することができる。ディスプレイ部分が跳ね上がって開位置になると、従来のラップトップの状態で動作する（つまり、キーボードが面上で静止し、ディスプレイが直立した位置に保持される）。特定の実施形態によると、電子デバイス１０は、タッチタイピングの使用感を最適化し得る１８．５ｍｍのピッチのフルサイズのキーボードを含む。ディスプレイ部分が上下に反転してキーボードのキー要素とは反対に外側に向くと、電子デバイス１０は、タブレット構成で動作することができ、キーボードはスクリーンの裏側にしまいこまれ、ユーザのやり取りの邪魔にならない。電子デバイス１０の円筒型ヒンジ機構フィーチャは、エンドユーザにとって、理想的な把持部分となり得る。このモードでは、キーボードはディスプレイの裏側にしまうことができる。このタブレットモードでも、ディスプレイは跳ね上げることができる。このモードでは、キーボードはスタンドとして（ディスプレイの裏側で）動作することができ、デバイスは静止したディスプレイとなる（例えば、ムービーモード）。ディスプレイ部分は、キーボードから分離されると、それ単体で簡略型で軽量のタブレットとして機能するとしてよい。
【００２４】
電子デバイス１０のアクセサリがキーボードである場合、キーボードの主要コンポーネントはさまざまな要素を含むとしてよい。例えば、キーボードは、固定部を見えないようにするべく挿入方法および／または共成形（ｃｏｍｏｌｄｉｎｇ）方法を用いる一体成型部分であるキーボード本体を含むとしてよい。また、キーボード本体はさらに、凹形状の外側部分の剛性を高めると同時に回転負荷を伝達するべく、挿入成形バンドフィーチャを含むとしてよい。これによって、トップ部分１４がベース部分１６に対して回転しないようになる。さらに、タブレットの鉄製の円板形状のフィーチャを磁力で誘引する１または複数のバンドフィーチャが設けられている。電流がタブレットからキーボードへと流れ、ボード上の電池またはキャパシタを再充電するか、または、任意の数の要素（例えば、Ｂｌｕｅｔｏｏｔｈ（登録商標）無線機器）に電力を供給するとしてよい。さらに、タブレットは、適宜キーボードに固定してキーボードに対して歯状円板フィーチャが回転しないようにする一方、タブレットがキーボードの「凹部分」において、タブレットの１または複数のクラッチ要素を介して、同心円状に回転できるようにする。
【００２５】
実際のキーについて、これに限定されないが特定の実施形態によると、キーは、トラベル距離（各キーについて）が０．５ｍｍになるように構成される。また、従来のキーボードのタイプ感を再現するべく、触知性フィードバックが提供されるとしてよい（例えば、７０グラムで「断崖落下」力偏向感）。特定の実施例によると、キー表面にはデッドスペースがほとんど（または全く）無い。キーボードにはさまざまな種類のキーが設けられているとしてよい。例えば、キーボードは、旋回キー（例えば、左端：ｔｉｌｄｅ、ｔａｂ、ｃａｐｓ  ｌｏｃｋ、ｓｈｉｆｔ、ｌｅｆｔ  ｃｔｒｌ、右端：ｂａｃｋｓｐａｃｅ、ｂａｃｋｓｌａｓｈ、ｅｎｔｅｒ、ｓｈｉｆｔ）、矢印キー等のロッキングキー、ならびに、ｆｕｎｃｔｉｏｎキー、および、右端または左端以外のその他のキー等の略垂直に移動するキーを含むとしてよい。
【００２６】
電子デバイス１０はさらに、キーボード本体に十分な剛性を与える非鉄製のウェブを備えるとしてよい。ウェブは、キーが垂直方向に移動するように誘導するが、ｘ−ｙ方向の移動を適宜抑制することができる。また、鉄製のトッププレートは、キーボードの剛性を高めることができ、キーが外れないように抑制することができ、磁気性のキーを誘引して上向きに付勢することができる。
【００２７】
Ｂｌｕｅｔｏｏｔｈ（登録商標）機能について、電流をバンド／ソケットを介して流すことによって、電力が無線機器に到達するとしてよい。タブレットは、電気的に保護された（しかし、「ホット」型の）歯状円板を含むとしてよい。Ｂｌｕｅｔｏｏｔｈ（登録商標）無線回路基板は、タブレットの向きに関係なく（つまり、ラップトップモードまたはタブレットモード等に関わらず）、電子機器に電力を供給する直流（ＤＣ）整流器を含むとしてよい。
【００２８】
特定の実施形態例によると、電子デバイス１０の構成によって、タブレットは、ムービースタンド型モードに加え、ラップトップ型モードおよびタブレット型モードの両方でキーボードに接続することが可能となるとしてよい。視野角の調整範囲は、連続的である（例えば、０度と１２５度または１５０度またはそれ以上との間、または、異なる範囲内で拡大する）。０度は、完全に閉じた位置に対応するとしてよく、１２５度または同様の角度は、完全に開いた位置と定義するとしてよい。デバイスのタブレット側には２つのソケットモジュールが組み込まれており、２つのソケットモジュールは、キーボードに組み込まれている収納フィーチャに磁気的に誘引されている。図１Ｃは、本開示の一実施形態に応じて、アクセサリカバーが取り付けられており閉状態の電子デバイス１０の実施形態を示す簡略概略図である。
【００２９】
図２は、２つのセグメントに分割されている電子デバイス１０を示す正投影図である簡略概略図である。図３は、２つのセグメントが接続された場合の電子デバイスを示す正投影図である簡略概略図である。
【００３０】
円板クラッチに焦点を当てると、電子デバイス１０の特定の設計では、電子デバイスの円板フィーチャの容積内にクラッチ要素を一体化し、さらに、円板の構成要素をクラッチ内に組み込むことによってスペースを節約する（つまり、歯状車輪）。一般的に、このような設計およびアセンブリ機構によって、タブレットの円板サブアセンブリは、円板サブアセンブリの挿入状態では円板サブアセンブリより幅が小さいタブレット筐体内のスロットに挿入することができるようになる。実際の円板は、シャーシとは物理的に分離されている電力接続を持つように設計され得る。また、電子デバイス１０は、電子デバイスの円板フィーチャの中央（または他の箇所）において、円板歯状車輪フィーチャと摩擦クラッチとを一体化する（例えば、可動範囲を改善するため、さらにサイズをコンパクト化するため、位置保持機能、および、トルク遷移特性を改善するため）。
【００３１】
アクセサリ（例えば、キーボード）内の磁気バンドセグメントは、タブレット円板の鉄製のリングを誘引することができる。中央リブ（詳細に後述する）は、増幅された磁界強度をバンド内に集中させる。トップ部分１４をベース部分１６に挿入する間、クラッチに接続されているタブレット円板の中央歯状車輪フィーチャは、アクセサリ範囲の中央において歯状部と係合する。アクセサリ凹状部の中央リブは、アラインメント導入機能を適宜実現する役割を持つとしてよい。このように収容することで、磁界を所与の方向に向けて集中させることができる。特定の実施形態によると、双方向性の一定のトルク特性を持つクラッチを円板において設ける。これによって、どちらの向きでもトップ部分１４をベース部分１６に挿入することができ、さらに、動きに対して一定の抵抗を与えることができる。これは、一の方向において抵抗を小さくするか、または、スクリーンとキーボードとの間の角度に応じて抵抗を変化させる通常の標準的なラップトップのクラッチとは対照的である。
【００３２】
図４は、電子デバイス１０の円板溝４０を示す簡略正投影図である。この特定の実施形態によると、円板溝４０は、１．０ミリメートルから３．５ミリメートルの範囲内であってよいが、別の実施形態では任意のその他の適切な寸法であってよい。図５は、一実施例に応じた電子デバイス１０のアクセサリの候補を示す正投影図である簡略概略図である。この特定の実施形態では、所与のアクセサリについて適切な結合を可能とする対称セグメント５０ａ−５０ｂを含む。例えば、キーボード等のアクセサリは、取り付けられると、一体化して、タブレットの円板機構とキーボードとの間で電力が流れるようになるので、キーボードに埋め込まれているＢｌｕｅｔｏｏｔｈ（登録商標）無線機器に電力が供給される。
【００３３】
図６は、本開示の一実施形態に応じた、電子デバイス１０のアクセサリドッキング６０を示す正投影図である簡略概略図である。アクセサリドッキング６０は、接続動作時に、適切な導入／誘導フィーチャとなるとしてよい。図７は、電子デバイス１０に対応付けられているアクセサリバンドコンポーネントの裏面を示す簡略概略図である。反対側の（且つバンド内に設けられている）マグネットコンポーネント７０は、望ましくない浮遊磁界を減らすべく、適切な補助部材（例えば、スチール製の補助部材）が付与されているとしてよい。このような補助部材が無い場合、磁力は他のコンポーネントとの間で相互作用を発生させる可能性が高くなり、クレジットカード情報を変更し、特定の格納要素を破損させる等の問題が発生し得る。バンド／キーボードの形状およびタブレット遷移によって、接続時の強力な磁気引張力を超えるべくタブレットをレバーとして用いることで、キーボードからタブレットをカムアウトを発生させて取り外すことが可能になるとしてよい。キーボードからタブレットへの磁気引張力によって、キーボードバンドとタブレットとの間の電気的接触および機械的接続が保証され得る。クラッチアセンブリは、タブレットおよびキーボード筐体から電気的に分離することができ、２つのクラッチによって実現するタブレットとキーボードとの間の正および負の接続を可能とする。キーボードバンドのトルク伝達歯状部材に対してタブレット円板要素の歯状車輪フィーチャを物理的に接触させることによって、電力および／または信号がタブレットからキーボードへと伝達される。歯状円板が、トルクをキーボードからタブレットへと適宜伝達することができる。また、特定の実施形態は、歯状円板をシャーシから電気的に分離するべく、プラスチックで収納されたクラッチ要素を利用するとしてよい。
【００３４】
図８は、周囲を取り囲むキーボード筐体を取り外した状態の、キーボードの電子部品および磁気バンド８０を示す正投影図である簡略概略図である。図９は、対応付けられているキーボード電子機器および磁気バンドが取り外されている状態の、キーボード筐体９０を示す。図１０は、電子デバイス１０に対応付けられているヒンジアセンブリ１００を示す簡略概略図である。図１１、図１２、図１３および図１４は、電子デバイス１０に対応付けられている特定のヒンジアセンブリコンポーネント１１０、１２０、１３０、１４０を示す簡略概略図である。電子デバイス１０の設計およびアセンブリ機構によって、タブレットの円板を、組み合わせた円板よりも小さいスロットに組み合わせることができる。図１５は、本開示に対応付けられている一の設計構成１５０の候補を示す簡略概略図である。
【００３５】
図１６は、本開示の一実施形態に応じた、一のスナップバンド構成１７５の候補を示す簡略概略図である。特定の実施形態例によると、キーボード上のスナップバンドは、（例えば、マグネットを利用する代わりに、または、マグネットの利用と組み合わせて）電子デバイスを保持するべく用いることができる。この具体例によると、相対的により可撓性の高い一組のサイドアーム１７２／１７３と共に、いくらか剛性が高い中央部分１７１を設けるとしてよい。また、（例えば、保持を目的として）中央を超えてタブレット円板と係合するセグメント１７７と共に、円板誘導フィーチャ１７４がさらに設けられる。この具体的な実施形態によると、トルク伝達のために、タブレット円板歯状車輪に係合することができる歯状フィーチャ１７６がさらに提供される。
【００３６】
一実施形態例に係る動作では、保持を目的として、三部スナップが設けられる。電力信号は、３つの部分のそれぞれを別々に伝搬するとしてよい。また、電力信号は、中央の部分を通るように進むとしてよい。この場合、２つの外側の部分は、絶縁体として動作する。キーボード側面スナップは、１つの部品で提供することができる。この場合、スロットを用いて、外側のスナップバンドおよび内側のトルク捕捉バンド／歯状部を独立して動作させる。さらに別の実施例によると、３つの部分を分離させることなく、一部構成のスナップを提供することができる。尚、このような実施形態では任意の適切なプラスチック製、繊維強化プラスチック製、非常に弾性の高い金属（例えば、チタン）を利用し得ることに留意されたい。尚、一部構成スナップ、三部スナップの場合、磁力による保持は全て、電子デバイスにおいてクラッチを利用することなく実現されることにも留意されたい。例えば、クラッチ機構を利用する代わりに、電子デバイスおよびアクセサリは、互いに対して角度を持って所定位置に保持され得る（例えば、それぞれの円筒形状の嵌合面の摩擦によって）。
【００３７】
図１７は、電子デバイス１０に対応付けられているマグネットコンポーネント１７０を示す簡略概略図である。特定の実施形態によると、４つの直線的に偏向したセグメントの形状のマグネットと共に、埋め込まれている２つの円弧形状の鉄製スチールコンポーネントによってタブレットをキーボードに保持する。マグネットは、タブレットソケットモジュールの一部である鉄製スチールリングバンドを誘引することができる。図１８は、電子デバイス１０に対応付けられている鉄製リングバンド１８０と共に、係合したマグネット１８５の断面を示す簡略概略図である。図１９は、電子デバイス１０のマグネットに対応付けられている係合した歯状部材１９０の断面を示す簡略概略図である。特定の実施形態によると、角度調整および位置保持は、キーボードソケット収納部に組み込まれている一の歯状部材と歯状円板とを係合させることによって、行われるとしてよい。
【００３８】
図２０は、電子デバイス１０に対応付けられているタブレット円板アセンブリ２００の内部フィーチャの断面を示す簡略概略図である。この特定の実施形態は、硬度を上げたスチール製歯状円板２０２、修正されたＲＥＥＬｔｏｒｑインサート（クラッチ要素）２０４、電気絶縁ワッシャ２０６、および、トルク遷移リング２０８を含む。このため、２つのＲＥＥＬＴｏｒｑインサート（クラッチ要素）がタブレットソケット設計において一体化されているとしてよい。別の実施形態では、このようなインサートに代えて、他のクラッチ要素機構を利用するとしてよい。硬度を上げたスチール製歯状円板は、トルクインサートの短くしたシャフトと一体化され得る（または、適宜組み合わせる）（例えば、圧入）。さらに、トルク要素を保護し、タブレット円筒形状部分に適合し、電気的に「生きている」歯状円板を電気的に絶縁する、カスタマイズされたオーバーモールドの工業用プラスチック（例えば、ポリカーボネート（ＰＣ）２０％のガラス繊維（ＧＦ）または均等物）の本体が提供され得る。
【００３９】
特定の実施形態によると、クラッチ機構は、デバイス円板の内部に設ける必要はない（例えば、特定の図面において電池が占めているエリアとして図示しているエリアに設けることもできる）。本質的には、本開示の教示内容に応じるためには任意のクラッチ機構を利用することができる。また、摩擦力は、本開示の特定の実施形態によると、両方向において等しくなる必要はない。
【００４０】
実際に組み合わせる場合には、２つの鉄製のスチールバンドのうち１つをトルクインサートと組み合わせた後、中央円筒形状部分に滑動させて入れることによってタブレットに挿入し、他方の鉄製のスチールバンドは、鉄製のスチールバンドの内径よりも外径が小さい中央歯状円板の上方に緩く設けられている。この後、コネクタサブアセンブリを、タブレットの円筒形状の外側部分を通るように外側から押し込んで、他方の鉄製のスチールバンドをその上に固定するとしてよい。
【００４１】
図２１は、電子デバイス１０に対応付けられている一の電池構成２１０の候補を示す簡略概略図である。（保護回路を介して）タブレット円筒形状部分内に存在する電池は、Ｂｌｕｅｔｏｏｔｈ（登録商標）キーボードに接続されている（そして、電力を供給する）歯状円板に電流を供給することができる。図２２は、電子デバイス１０に対応付けられている係合フィーチャおよびバンドマグネットアセンブリ（総合的に２２０で示す）と共に、挿入成形されたバンドを示す簡略概略図である。この特定の実施形態によると、Ｂｌｕｅｔｏｏｔｈ（登録商標）無線モジュールは、バンド、バンドマグネットおよび３つのバンドサポートポストと共に図示されている。図２２に図示されているバンドは、タブレット内の円板を誘引する希土類マグネットを収納し得る。バンドは、キーボードの裏面から発生する浮動磁界を低減する低炭素鋼で形成され得る。３つのバンドサポートポストは、本開示の一実施形態によると、キーボードの壁部を貫通して、各バンドに圧入されるとしてよい。これによって、バンドがキーボードに機械的に接続され、および／または、バンドからキーボードの内部領域（回路）へと電力または信号を伝達させることができる。さらに、バンドおよびバンドマグネットアセンブリは、プラスチックキーボード本体に挿入成形することができるので、キーボード本体の外側端部が支持され得る。
【００４２】
バンドサポートポストは、バンドを介してタブレットからＢｌｕｅｔｏｏｔｈ（登録商標）無線モジュールへと電流を流すことができる。タブレット内の円板は、電気極性を持ち複数の向きでキーボードに挿入することが可能なので、ＤＣ整流器をＢｌｕｅｔｏｏｔｈ（登録商標）無線モジュールにおいて利用することができる。バンドサポートポストはさらに、バンドを固定することができるので、負荷をキーボードに伝達および分配することができる。バンドの一の中央歯状部材は、タブレット内の歯状円板と係合して、キーボードに対して歯状円板が望ましくないにも関わらず回転することを防ぎ、さらに、どちらの向きでもタブレットをキーボード内に挿入可能とする。バンドは電気的に生きているタブレットの歯状円板に接触するので、バンドは充電することができ、キーボードの他の金属コンポーネントから電気的に絶縁され得るが、適切なキーボードおよびタブレットの電子回路設計を用いてこの必要が無いようにするとしてもよい。
【００４３】
特定の実施形態によると、歯状車輪を介して電力信号を伝達する代わりに、特定の構成では、アクセサリ側のワイピングコンタクトと共に１または複数の円板を介して電力信号を伝達することができる。他の構成では、図示しているように必ずしも鉄製のフィーチャではない円板フィーチャを介して電力信号を伝達するとしてよいが、任意の他の金属製のリングをコンタクトとして用いることもできる。さらに別の例を挙げると、電力信号は、プラグインコネクタ（例えば、オス側突起がキーボードの側面に組み込まれており、メス側が電子デバイスに組み込まれているもの）を介して伝達するとしてもよい。これは、電気接続を確立する上で有効であり、さらに、キーボードとタブレットとの間の唯一のトルク伝達点として用いられるとしてよい。尚、このような実施形態は歯状車輪に係合している歯状部材の拡大版と同様であることに留意されたい。これは、タブレットおよびキーボード（または任意のその他のアクセサリ）の接続が可能になるのが一の向きにおいてのみである点において、必ずしも理想的ではない場合がある。実質的に、任意のその他の電気接続方法を用いることができるので、明確に本開示の範囲内である。また、円筒形状部および凹状部（ヒンジにおいて当接する）の別の構成は、本開示の教示内容から逸脱することなく利用し得る。面倒である可能性はあるが、このような構成は、本開示の実施可能な別の実施形態を表している。
【００４４】
図２３は、タッチパッド部分２３２を持つ電子デバイス１０に対応付けられているラッチマグネット２３０を示す簡略概略図である。特定の実施例によると、極性が変化する希土類マグネットおよびスチールバックプレートを用いて、キーボードの裏側を通して浮動磁界を低減し、さらに、磁界をタブレットの方向に集中させる。例えば、図２３に示すリストパッドの下方において、極性が変化する３つの希土類マグネットを適宜実装するとしてよい。ラッチマグネットは、タブレットに実装されている対応するマグネット／スナッププレートの組み合わせを誘引することができる。キーボード内のスチールバックプレートは、ラッチマグネットからの磁界を集中させ上向きに、タブレットに向けて方向付けることができ、デバイスを閉じた状態で維持し易くする。ラッチマグネットは、デバイスがラップトップモードおよび収納タブレットモードである場合、閉じる力が等しくなるように設計され得る。
【００４５】
図２４は、電子デバイス１０に対応付けられているドッキングステーション２４０の別の実施形態を示す簡略概略図である。一般的な提案として、本開示の円板ヒンジ設計（電力はシャーシから分離されている）によって、タブレットアクセサリ機能の一体化を進めることが可能になるので、機能的なタブレットアクセサリを数多く提供することができる。例えば、ドッキングステーション２４０は、このような実施例の１つのである。図２５は、電子デバイス１０に対応付けられているスピーカの別の実施形態２５０を示す簡略概略図である。本開示と共に任意の適切なオーディオシステムを提供することができる。図２５に示した内容は一例として挙げているに過ぎない。
【００４６】
図２６は、電子デバイス１０に対応付けられている電子機器の候補を示す簡略ブロック図である。より具体的には、図２６は、電子デバイス１０の任意の部分（または複数の部分によって共有される部分）に含まれるシステム２６００の実施形態例を示す。システム２６００は、タッチ入力デバイス２５０２、タッチコントローラ２６０２、１または複数のプロセッサ２６０４、プロセッサ２６０４のうち少なくとも１つに結合されているシステム制御ロジック２６０６、システム制御ロジック２６０６に結合されているシステムメモリ２６０８、システム制御ロジック２６０６に結合されている不揮発性メモリおよび／またはストレージデバイス２６１０、システム制御ロジック２６０６に結合されているディスプレイコントローラ２６１２、ディスプレイに結合されているディスプレイコントローラ２６１２、システム制御ロジック２６０６に結合されている電力管理コントローラ２６１８、および、システム制御ロジック２６０６に結合されている通信インターフェース２６２０を備える。
【００４７】
タッチ入力デバイス２５０２はタッチセンサ２５２０を含み、それぞれは、例えば、これらに限定されないが、容量方式、抵抗方式、表面弾性波（ＳＡＷ）方式、赤外線方式および光イメージング方式等の任意の適切なタッチ感知技術を用いて実現されているとしてよい。タッチ入力デバイス２５０２は、特定の実施形態によると、任意の適切なマルチタッチ技術を用いて実現され得る。
【００４８】
システム制御ロジック２６０６は、特定の実施形態によると、少なくとも１つのプロセッサ２６０４に対して、および／または、システム制御ロジック２６０６と通信している任意の適切なデバイスまたはコンポーネントに対して、任意の適切なインターフェースを実現する、任意の適切なインターフェースコントローラを有するとしてよい。システム制御ロジック２６０６は、特定の実施形態によると、システムメモリ２６０８に対してインターフェースを提供するべく１または複数のメモリコントローラを有するとしてよい。システムメモリ２６０８は、例えば、システム２６００のためにデータおよび／または命令をロードおよび格納するために用いられるとしてよい。システムメモリ２６０８は、特定の実施形態によると、任意の適切な揮発性メモリ、例えば、適切なダイナミックランダムアクセスメモリ（ＤＲＡＭ）等を有するとしてよい。システム制御ロジック２６０６は、特定の実施形態によると、ディスプレイデバイス、タッチコントローラ２６０２、および、不揮発性メモリおよび／またはストレージデバイス２６１０に対してインターフェースを提供するべく、１または複数の入出力（Ｉ／Ｏ）コントローラを有するとしてよい。
【００４９】
不揮発性メモリおよび／またはストレージデバイス２６１０は、例えば、ソフトウェア２６２８内のデータおよび／または命令を格納するために用いられるとしてよい。不揮発性メモリおよび／またはストレージデバイス２６１０は、例えば、フラッシュメモリ等の任意の適切な不揮発性メモリを有するとしてよく、および／または、例えば、１または複数のハードディスクドライブ（ＨＤＤ）、１または複数のコンパクトディスク（ＣＤ）ドライブ、および／または、１または複数のデジタルバーサティルディスク（ＤＶＤ）ドライブ等の任意の適切な不揮発性ストレージデバイスを含むとしてよい。
【００５０】
電力管理コントローラ２６１８は、電子デバイス１０が開状態または閉状態のいずれであるか、および／または、電子デバイス１０の物理的な向きに基づいて、電子デバイス１０のさまざまな電力管理機能および／または省電力機能を制御するように構成されている電力管理ロジック２６３０を有する。一実施形態によると、電力管理コントローラ２６１８は、システム２６００のうち、電子デバイス１０が閉状態の場合に低電力で動作するかまたはオフに制御されているコンポーネントまたはデバイスの消費電力を低減するように構成されている。例えば、特定の実施形態によると、電子デバイス１０が閉状態の場合、電力管理コントローラ２６１８は、ディスプレイの未使用部分および／またはその部分に対応付けられている任意のバックライトの電源を落とす、閉状態において必要な計算用の電力が減る場合にはプロセッサ２６０４のうち１または複数を低電力状態に移行させる、および、キーボード１０８等の電子デバイス１０が閉状態の場合に利用されない任意のデバイスおよび／またはコンポーネントをシャットダウンする、のうち１または複数を実行するとしてよい。
【００５１】
通信インターフェース２６２０は、１または複数のネットワークを介して、および／または、任意のその他の適切なデバイスと通信するべく、システム２６００用のインターフェースとなるとしてよい。通信インターフェース２６２０は、任意の適切なハードウェアおよび／またはファームウェアを含むとしてよい。通信インターフェース２６２０は、特定の実施形態によると、例えば、ネットワークアダプタ、無線ネットワークアダプタ、電話モデムおよび／または無線モデムを含むとしてよい。
【００５２】
システム制御ロジック２６０６は、特定の実施形態によると、例えば、音声を対応するデジタル信号に変換する、および／または、デジタル信号を対応する音声に変換するオーディオデバイス、カメラ、カムコーダ、プリンタおよび／またはスキャナ等の任意の適切な入出力デバイスに対するインターフェースを提供する１または複数の入出力（Ｉ／Ｏ）コントローラを含むとしてよい。
【００５３】
一実施形態によると、少なくとも１つのプロセッサ２６０４は、システム制御ロジック２６０６の１または複数のコントローラ用のロジックと共にパッケージングされるとしてよい。一実施形態によると、少なくとも１つのプロセッサ２６０４は、システム制御ロジック２６０６の１または複数のコントローラ用のロジックとともにパッケージングされて、システムインパッケージ（ＳｉＰ）を形成するとしてよい。一実施形態によると、少なくとも１つのプロセッサ２６０４は、システム制御ロジック２６０６の１または複数のコントローラ用のロジックと同じダイに集積化されるとしてよい。特定の実施形態について、少なくとも１つのプロセッサ２６０４は、システム制御ロジック２６０６の１または複数のコントローラ用のロジックと同じダイに集積化されてシステムオンチップ（ＳｏＣ）を形成するとしてよい。
【００５４】
タッチ制御のために、タッチコントローラ２６０２は、タッチセンサインターフェース回路２６２２およびタッチ制御ロジック２６２４を有するとしてよい。タッチセンサインターフェース回路２６２２は、ディスプレイ２６（つまり、ディスプレイデバイス２５１０）の第１のタッチ面層および第２のタッチ面層におけるタッチ入力を検出するように結合されているとしてよい。タッチセンサインターフェース回路２６２２は、例えば、タッチ入力デバイス２５０２のために用いられるタッチ感知技術に少なくとも部分的に依存する任意の適切な回路を含むとしてよい。タッチセンサインターフェース回路２６２２は、一実施形態によると、任意の適切なマルチタッチ技術をサポートするとしてよい。タッチセンサインターフェース回路２６２２は、一実施形態によると、第１のタッチ面層および第２のタッチ面層に対応するアナログ信号を任意の適切なデジタルタッチ入力データに変換する任意の適切な回路を含むとしてよい。一実施形態についての適切なデジタルタッチ入力データは、例えば、タッチの位置または座標のデータを含むとしてよい。
【００５５】
タッチ制御ロジック２６２４は、第１のタッチ面層および第２のタッチ面層におけるタッチ入力を検出するべく任意の適切な方法でタッチセンサインターフェース回路２６２２を制御するべく結合されているとしてよい。タッチ制御ロジック２６２４はさらに、一実施形態によると、タッチセンサインターフェース回路２６２２が検出するタッチ入力に対応するデジタルタッチ入力データを任意の適切な方法で出力するように結合されているとしてよい。タッチ制御ロジック２６２４は、タッチセンサインターフェース回路２６２２について用いられている回路に、例えば、少なくとも部分的に依存している任意の適切なハードウェア、ファームウェアおよび／またはソフトウェアロジック（例えば、非一時的有形媒体）を含む任意の適切なロジックを用いて実装されるとしてよい。タッチ制御ロジック２６２４は、一実施形態によると、任意の適切なマルチタッチ技術をサポートするとしてよい。
【００５６】
タッチ制御ロジック２６２４は、処理を目的としてシステム制御ロジック２６０６および／または少なくとも１つのプロセッサ２６０４に対してデジタルタッチ入力データを出力するべく結合されているとしてよい。少なくとも１つのプロセッサ２６０４は、一実施形態によると、タッチ制御ロジック２６２４から出力されるデジタルタッチ入力データを処理するべく任意の適切なソフトウェアを実行するとしてよい。適切なソフトウェアとは、例えば、任意の適切なドライバソフトウェアおよび／または任意の適切なアプリケーションソフトウェアを含むとしてよい。図２６に示すように、システムメモリ２６０８は、適切なソフトウェア２６２６および／または不揮発性メモリおよび／またはストレージデバイスを格納しているとしてよい。
【００５７】
本明細書で概略を説明した仕様、寸法および関係（例えば、高さ、幅、長さ、材料等）は全て一例として教示を目的として記載されたに過ぎないことに留意すべきである。このようなデータはそれぞれ本開示の意図または特許請求の範囲から逸脱することなく大幅に変更するとしてよい。仕様は、限定されない一例についてのみ適用されるものであり、したがって、そのように解釈されるべきである。上記の説明では、実施形態例を説明している。上述した実施形態に対して、特許請求の範囲から逸脱することなく、さまざまな変形および変更を行うとしてよい。明細書および図面は、これにしたがって、限定的ではなく例示的に解釈されたい。また、「電子デバイス」および「タブレット」という用語は本明細書において同義語として用いていることに留意されたい。
【００５８】
当業者におかれては他にも数多くの変更例、代替例、変化例、変換例および変形例が認められるであろう。本開示はこのような変更例、代替例、変化例、変換例および変形例もすべて特許請求の範囲内に入るものとしている。米国特許商標庁（ＵＳＰＴＯ）および本願に対して発行される特許を参照する方々が、特許請求の範囲を解釈する際に分かり易いように、出願人は、（ａ）特許請求の範囲の請求項がいずれも、「ｍｅａｎｓ  ｆｏｒ（するための手段）」または「ｓｔｅｐ  ｆｏｒ（するためのステップ）」という表現が特に特定の請求項で用いられていない限り、出願日時点に存在する米国特許法第１１２条第６項を適用することを意図しておらず、（ｂ）本明細書のいずれの記載によっても、特許請求の範囲の記載されている内容以外で本開示を限定することを意図するものではない点について注意を喚起しておきたい。
【００５９】
＜実施形態例＞
一の具体的な実施例では、ヒンジアセンブリの一部として提供される複数の円板を含む電子デバイスにおいてアクセサリの複数のセグメントを受け入れるための手段を備えるとしてよい。当該実施例はさらに、電子デバイスのトップ部分をアクセサリに固定するべく、ヒンジアセンブリをアクセサリに係合させるための手段を備えるとしてよい。尚、ヒンジアセンブリは、アクセサリに対してトップ部分が回転できるようにする。実際のヒンジアセンブリは、トップ部分をアクセサリに固定するべく、アクセサリの複数のセグメントを受け入れる円板歯状車輪を含むとしてよい。また、アクセサリは、ヒンジアセンブリがアクセサリと係合すると、アラインメント機能を実現する歯状セグメントを含むとしてよい。また、アクセサリは、トップ部分に設けられている１または複数のリングを誘引する１または複数の磁気バンドを含むとしてよい。また、アクセサリは、一般的なスナップ機構または中央越えスナップ機構を用いて、トップ部分に設けられている１あるいは複数のリング、または、円板を保持することが可能な、剛性を持つ可撓性バンドを含むとしてよい。
［項目１］
電子デバイスであって、
前記電子デバイスの一部分をアクセサリに選択的に固定し、前記アクセサリと相対的に前記一部分を回転させるヒンジアセンブリを備え、
前記ヒンジアセンブリは、
前記ヒンジアセンブリが係合して前記電子デバイスの前記一部分を前記アクセサリに固定すると、前記アクセサリの少なくとも１つのセグメントを受け入れる少なくとも１つの円板を有する電子デバイス。
［項目２］
前記ヒンジアセンブリは、前記アクセサリの前記少なくとも１つのセグメントを受け入れる円板歯状車輪を有する項目１に記載の電子デバイス。
［項目３］
前記少なくとも１つのセグメントは、前記ヒンジアセンブリが前記アクセサリに係合すると、アラインメント機能を提供する項目１に記載の電子デバイス。
［項目４］
前記アクセサリは、前記一部分に含まれている１または複数のリングを誘引する１または複数の磁気バンドを含む項目１に記載の電子デバイス。
［項目５］
前記アクセサリは、１または複数の浮動磁界を低減するべく鉄製の筐体の一部分を含む項目１に記載の電子デバイス。
［項目６］
前記アクセサリは、前記電子デバイスの１または複数の円板を誘引する１または複数の希土類マグネットを含む項目１に記載の電子デバイス。
［項目７］
前記アクセサリは、バンド、および、前記バンドを固定し、前記一部分から前記バンドを介して電流を流して前記アクセサリに電力を供給するバンドサポートポストを含む項目１に記載の電子デバイス。
［項目８］
前記少なくとも１つのセグメントは、前記一部分と前記アクセサリとの間における回転を抑制するべく前記電子デバイスの歯状円板と係合する中央歯状部材を含む項目１に記載の電子デバイス。
［項目９］
前記一部分は、タッチディスプレイを含む項目１に記載の電子デバイス。
［項目１０］
前記アクセサリは、オーディオコンポーネントである項目１に記載の電子デバイス。
［項目１１］
前記アクセサリは、ドッキングステーションである項目１に記載の電子デバイス。
［項目１２］
前記アクセサリは、キーボードである項目１に記載の電子デバイス。
［項目１３］
前記ヒンジアセンブリは、前記アクセサリと相対的に前記電子デバイスが所定の範囲において回転するようにし、前記所定の範囲は、閉じた位置における０度から略開いた位置における１５０度までである項目１に記載の電子デバイス。
［項目１４］
前記アクセサリと前記一部分との間において電力またはデータが流れる項目１に記載の電子デバイス。
［項目１５］
前記アクセサリは、略円筒形状の前記ヒンジアセンブリを受け入れる円弧形状の凹部を含む項目１に記載の電子デバイス。
［項目１６］
複数の電力信号は、前記アクセサリに対応付けられている複数のコンタクトを介して複数の円板を通過する項目１に記載の電子デバイス。
［項目１７］
複数の電力信号は、前記アクセサリと前記電子デバイスとの間のプラグイン接続を通過する項目１に記載の電子デバイス。
［項目１８］
ヒンジアセンブリの一部として設けられている少なくとも１つの円板を含む電子デバイスにおいてアクセサリの少なくとも１つのセグメントを受け入れる段階と、
前記アクセサリに対して前記電子デバイスの一部分を固定するべく前記ヒンジアセンブリと前記アクセサリとを係合させる段階と
を備え、
前記ヒンジアセンブリは、前記アクセサリと相対的に前記一部分を回転させる方法。
［項目１９］
前記ヒンジアセンブリは、前記アクセサリの前記少なくとも１つのセグメントを受け入れる円板歯状車輪を有する項目１８に記載の方法。
［項目２０］
前記少なくとも１つのセグメントは、前記ヒンジアセンブリが前記アクセサリに係合すると、アラインメント機能を提供する項目１８に記載の方法。
［項目２１］
前記アクセサリは、前記一部分に含まれている１または複数のリングを誘引する１または複数の磁気バンドを含む項目１８に記載の方法。
［項目２２］
前記アクセサリは、１または複数の浮動磁界を低減するべく鉄製の筐体の一部分を含む項目１８に記載の方法。
［項目２３］
前記アクセサリは、前記電子デバイスの１または複数の円板を誘引する１または複数の希土類マグネットを含む項目１８に記載の方法。
［項目２４］
前記アクセサリは、バンド、および、前記バンドを固定し、前記一部分から前記バンドを介して電流を流して前記アクセサリに電力を供給するバンドサポートポストを含む項目１８に記載の方法。
［項目２５］
前記少なくとも１つのセグメントは、前記一部分と前記アクセサリとの間における回転を抑制するべく前記電子デバイスの歯状円板と係合する中央歯状部材を含む項目１８に記載の方法。
［項目２６］
前記ヒンジアセンブリは、前記アクセサリと相対的に前記電子デバイスが所定の範囲において回転するようにし、前記所定の範囲は、閉じた位置における０度から略開いた位置における１５０度までである項目１８に記載の方法。
［項目２７］
前記アクセサリは、略円筒形状の前記ヒンジアセンブリを受け入れる円弧形状の凹部を含む項目１８に記載の方法。
［項目２８］
前記アクセサリと前記一部分との間において電力またはデータが流れる項目１８に記載の方法。
［項目２９］
複数の電力信号は、前記アクセサリに対応付けられている複数のコンタクトを介して複数の円板を通過する項目１８に記載の方法。
［項目３０］
電子デバイスであって、
前記電子デバイスの一部分をアクセサリに選択的に固定し、前記アクセサリと相対的に前記一部分を回転させるヒンジアセンブリを備え、
前記ヒンジアセンブリは、
少なくとも一の、前記一部分と前記アクセサリとの間において保持力を提供する三部スナップ構成を有する電子デバイス。
［項目３１］
複数の電力信号は、前記三部スナップ構成の３つの部分のそれぞれを別箇に流れる項目３０に記載の電子デバイス。
［項目３２］
複数の電力信号は、前記三部スナップ構成の中央の部分を流れ、前記三部スナップ構成の２つの外側の部分は、複数の絶縁体として動作する項目３０に記載の電子デバイス。
［項目３３］
前記アクセサリは、一部構成のキーボード側面スナップを含むキーボードであり、
複数のスロットによって、前記キーボードの複数の外側のスナップバンドを独立して動かすことが可能になる項目３０に記載の電子デバイス。
［項目３４］
前記アクセサリは、１または複数の浮動磁界を低減するべく鉄製の筐体の一部分を含む項目３０に記載の電子デバイス。
［項目３５］
前記アクセサリは、前記電子デバイスの１または複数の円板を誘引する１または複数の希土類マグネットを含む項目３０に記載の電子デバイス。
［項目３６］
前記アクセサリは、バンド、および、前記バンドを固定し、前記一部分から前記バンドを介して電流を流して前記アクセサリに電力を供給するバンドサポートポストを含む項目３０に記載の電子デバイス。
［項目３７］
前記三部スナップ構成は、前記一部分と前記アクセサリとの間の回転を抑制するべく前記電子デバイスの歯状円板と係合する中央歯状部材を含む項目３０に記載の電子デバイス。
［項目３８］
前記一部分は、タッチディスプレイを含む項目３０に記載の電子デバイス。
［項目３９］
前記アクセサリは、オーディオコンポーネントである項目３０に記載の電子デバイス。
［項目４０］
前記アクセサリは、ドッキングステーションである項目３０に記載の電子デバイス。
［項目４１］
前記アクセサリは、キーボードである項目３０に記載の電子デバイス。
［項目４２］
前記ヒンジアセンブリは、前記アクセサリと相対的に前記電子デバイスが所定の範囲において回転するようにし、前記所定の範囲は、閉じた位置における０度から略開いた位置における１５０度までである項目３０に記載の電子デバイス。
［項目４３］
前記アクセサリは、略円筒形状の前記ヒンジアセンブリを受け入れる円弧形状の凹部を含む項目３０に記載の電子デバイス。
［項目４４］
ヒンジアセンブリの一部として設けられる少なくとも１つの円板を含む電子デバイスにおいてアクセサリの少なくとも１つのセグメントを受け入れるための手段と、
前記アクセサリに対して前記電子デバイスの一部分を固定するべく前記ヒンジアセンブリと前記アクセサリとを係合させるための手段と
を備え、
前記ヒンジアセンブリは、前記アクセサリと相対的に前記一部分を回転させるシステム。
［項目４５］
前記ヒンジアセンブリは、前記アクセサリの前記少なくとも１つのセグメントを受け入れる円板歯状車輪を含む項目４４に記載のシステム。
［項目４６］
前記少なくとも１つのセグメントは、前記ヒンジアセンブリが前記アクセサリに係合すると、アラインメント機能を提供する項目４４に記載のシステム。
［項目４７］
前記アクセサリは、前記一部分に含まれている１または複数のリングを誘引する１または複数の磁気バンドを含む項目４４に記載のシステム。
［項目４８］
前記アクセサリは、１または複数の浮動磁界を低減するべく鉄製の筐体の一部分を含む項目４４に記載のシステム。
［項目４９］
前記アクセサリは、前記電子デバイスの１または複数の円板を誘引する１または複数の希土類マグネットを含む項目４４に記載のシステム。
［項目５０］
前記アクセサリは、バンド、および、前記バンドを固定し、前記一部分から前記バンドを介して電流を流して前記アクセサリに電力を供給するバンドサポートポストを含む項目４４に記載のシステム。
［項目５１］
前記少なくとも１つのセグメントは、前記一部分と前記アクセサリとの間における回転を抑制するべく前記電子デバイスの歯状円板と係合する中央歯状部材を含む項目４４に記載のシステム。
［項目５２］
前記ヒンジアセンブリは、前記アクセサリと相対的に前記電子デバイスが所定の範囲において回転するようにし、前記所定の範囲は、閉じた位置における０度から略開いた位置における１５０度までである項目４４に記載のシステム。
［項目５３］
前記アクセサリは、略円筒形状の前記ヒンジアセンブリを受け入れる円弧形状の凹部を含む項目４４に記載のシステム。
［項目５４］
前記アクセサリと前記一部分との間において電力またはデータが流れる項目４４に記載のシステム。
［項目５５］
複数の電力信号は、前記アクセサリに対応付けられている複数のコンタクトを介して複数の円板を通過する項目４４に記載のシステム。
【図１Ａ】
0005820545.tif 000002
【図１Ｂ】
0005820545.tif 000003
【図１Ｃ】
0005820545.tif 000004
【図２】
0005820545.tif 000005
【図３】
0005820545.tif 000006
【図４】
0005820545.tif 000007
【図５】
0005820545.tif 000008
【図６】
0005820545.tif 000009
【図７】
0005820545.tif 000010
【図８】
0005820545.tif 000011
【図９】
0005820545.tif 000012
【図１０】
0005820545.tif 000013
【図１１】
0005820545.tif 000014
【図１２】
0005820545.tif 000015
【図１３】
0005820545.tif 000016
【図１４】
0005820545.tif 000017
【図１５】
0005820545.tif 000018
【図１６】
0005820545.tif 000019
【図１７】
0005820545.tif 000020
【図１８】
0005820545.tif 000021
【図１９】
0005820545.tif 000022
【図２０】
0005820545.tif 000023
【図２１】
0005820545.tif 000024
【図２２】
0005820545.tif 000025
【図２３】
0005820545.tif 000026
【図２４】
0005820545.tif 000027
【図２５】
0005820545.tif 000028
【図２６】
0005820545.tif 000029